(57)【要約】【課題】結像面へのゴミの侵入を防ぎつつ、ファインダ全体を小型化することができるようにする。【解決手段】対物光学系、接眼光学系とは別に設けたホルダに、視野枠とコンデンサレンズ１４９を、光軸１００と平行な方向から組み込み、一体に結合する。また、光軸１００と垂直な方向からコンデンサレンズ１４９と視野枠を組み合わせたホルダを保持ケースに組み込むことで、ホルダ、コンデンサレンズ１４９、及びダハプリズム１２２によって、コンデンサレンズ１４９の後面にある結像面を有する閉空間が形成される。本発明は、例えば、実像式ファインダを備えたカメラに適用できる。【選択図】      図１５
2005017611.tif 000002
【特許請求の範囲】
【請求項１】
対物光学系によって結像される被写体像を、接眼光学系を介して観察する実像式ファインダにおいて、
前記対物光学系からの光を複数回反射して前記接眼光学系に導くプリズムと、
前記プリズムを保持するケース部材と、
前記プリズムと前記ケース部材により形成される空間に、前記接眼光学系の光軸に対してほぼ垂直な方向から組み込まれるホルダ部材と、
前記ケース部材に組み込まれていない前記ホルダ部材に対して、前記ホルダ部材が前記ケース部材に組み込まれた状態における前記光軸方向とほぼ平行な方向から組み込まれ、保持される視野枠と、
前記被写体像が結像される結像面を有し、前記結像面と前記ホルダ部材により前記視野枠が挟まれるように、前記視野枠と同じ方向から前記ホルダ部材に組み込まれ、保持されるコンデンサレンズとを備え、
前記視野枠と前記コンデンサレンズが組み込まれた前記ホルダ部材を前記ケース部材の前記空間に組み込まれた状態において、前記結像面、前記視野枠、前記ホルダ部材、前記プリズム、および前記ケース部材により閉空間が形成される
ことを特徴とする実像式ファインダ。
【請求項２】
請求項１に記載の実像式ファインダを備える
ことを特徴とする撮影装置。
【発明の詳細な説明】
【０００１】
【発明の属する技術分野】
本発明は、実像式ファインダ、及び実像式ファインダを備えた撮影装置に関し、特に結像面へのゴミの進入を防止しつつ、全体を小型化することができるようにした実像式ファインダ、及び実像式ファインダを備えた撮影装置に関する。
【０００２】
【従来の技術】
近年、実像式ファインダは、様々な形式が採用されている。図１乃至図３は、従来の実像式ファインダの例を示している。
【０００３】
これらの図に示される実像式ファインダ１において、保持ケース１１は、コンデンサレンズ２１、ダハプリズム２２、接眼レンズ２３、平面ガラス３１、及び視野枠３２などを保持する。コンデンサレンズ２１の視野枠３２が接触している面（光軸２０の入射方向を前面とした場合のコンデンサレンズ２１の後面）が、被写体が結像する結像面である。撮影レンズ（図示せず）が結ぶ被写体像は上下左右が逆さになっている。ダハプリズム２２は、この像を正立像で観察できるようにする機能を有する。
【０００４】
この実像式ファインダ１では、コンデンサレンズ２１、ダハプリズム２２、接眼レンズ２３、平面ガラス３１、及び視野枠３２などが保持ケース１１に対して直接組み込まれる。
【０００５】
このような実像式ファインダ１は、対物光学系で結像された像と一緒に結像面付近に付着したゴミが、微細なゴミであっても、接眼光学系で拡大されて観察されてしまい、被写体をファインダを介して観察する映像（以下、ファインダ像と略記する）を見る時に見苦しいという問題があった。
【０００６】
そこで、結像面へのゴミの進入、付着を防止するため、組み立て時にクリーンルームを使用する等、組み立て環境を改善したり、部品の洗浄、帯電材等、材料を工夫することがなされている。
【０００７】
また、結像面を密閉構造にしてゴミの進入を防ぐことも提案されている（例えば、特許文献１）。
【０００８】
【特許文献１】
特開平８−２１１４５３号公報
【０００９】
【発明が解決しようとする課題】
しかしながら、図１乃至図３の実像式ファインダ１では、図２と図３に示されるように、結像面を有するコンデンサレンズ２１と視野枠３２が、保持ケース１１に対して光軸２０に直交する方向から直接組み込まれるため、組み込み時に薄いシートである視野枠３２が曲がって組み込まれたり、結像面と視野枠３２が擦れて結像面を傷付けてしまうことがあった。コンデンサレンズ２１の結像面に、小さな傷がつくと、ゴミ同様に目立ってしまい、ファインダ像を見る時に見苦しいものになってしまうという課題があった。
【００１０】
また、実像式ファインダ全体を密閉するには、可動部等の外部との連動があり非常に困難である。さらに、このような密閉構造では、組み立て後に発見されたゴミを除去する場合、結像面を含むレンズ等を取り出して清掃しなければならず、取り出し時に結像面に傷をつけてしまったり、擦り傷による新たなゴミを発生させてしまうおそれがあった。
【００１１】
さらに、特許文献１における場合では、閉空間を作るプリズムホルダが、光軸方向に対して、斜めに組み込まれているため、プリズム等を保持するケースの長さが長いものとなってしまう。従って、特に近年、普及している小型で、薄型の実像式ファインダを備えるカメラには不向きとなる課題があった。
【００１２】
本発明は、このような状況に鑑みてなされたものであり、全体の形状を大型化することなく、簡単な構造で実像式ファインダの結像面へのゴミの侵入、視野枠による擦り傷の抑制、及び組み立て時、取り外し時の作業性の向上、並びに視度差のない良好な実像式ファインダを提供することが出来るようにするものである。
【００１３】
【課題を解決するための手段】
本発明の実像式ファインダは、対物光学系によって結像される被写体像を、接眼光学系を介して観察する実像式ファインダにおいて、対物光学系からの光を複数回反射して接眼光学系に導くプリズムと、プリズムを保持するケース部材と、プリズムとケース部材により形成される空間に、接眼光学系の光軸に対してほぼ垂直な方向から組み込まれるホルダ部材と、ケース部材に組み込まれていないホルダ部材に対して、ホルダ部材がケース部材に組み込まれた状態における光軸方向とほぼ平行な方向から組み込まれ、保持される視野枠と、被写体像が結像される結像面を有し、結像面とホルダ部材により視野枠が挟まれるように、視野枠と同じ方向からホルダ部材に組み込まれ、保持されるコンデンサレンズとを備え、視野枠とコンデンサレンズが組み込まれたホルダ部材をケース部材の空間に組み込まれた状態において、結像面、視野枠、ホルダ部材、プリズム、およびケース部材により閉空間が形成されることを特徴とする。
【００１４】
本発明の撮影装置は、請求項１に記載の実像式ファインダを備えることを特徴とする。
【００１５】
本発明の実像式ファインダにおいては、光軸方向と平行な方向から、結像面を有するコンデンサレンズと、視野枠がホルダ部材に組み込まれ、そのホルダ部材が光軸方向と垂直な方向からケース部材に組み込まれる。
【００１６】
【発明の実施の形態】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１７】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００１８】
請求項１に記載の実像式ファインダ（例えば、図５の実像式ファインダ９１）は、対物光学系（例えば、図７の対物レンズ１０４）によって結像される被写体像を、接眼光学系（例えば、図７の接眼レンズ１２５）を介して観察する実像式ファインダにおいて、前記対物光学系からの光を複数回反射して前記接眼光学系に導くプリズム（例えば、図９のダハプリズム１２２）と、前記プリズムを保持するケース部材（例えば、図５の保持ケース１０１）と、前記プリズムと前記ケース部材により形成される空間に、前記接眼光学系の光軸（例えば、図７の光軸１００）に対してほぼ垂直な方向から組み込まれるホルダ部材（例えば、図９のホルダ１２１）と、前記ケース部材に組み込まれていない前記ホルダ部材に対して、前記ホルダ部材が前記ケース部材に組み込まれた状態における前記光軸方向とほぼ平行な方向から組み込まれ、保持される視野枠（例えば、図９の視野枠１５０）と、前記被写体像が結像される結像面（例えば、図１２のコンデンサレンズ１４９の後面１４９ｃ）を有し、前記結像面と前記ホルダ部材により前記視野枠が挟まれるように、前記視野枠と同じ方向から前記ホルダ部材に組み込まれ、保持されるコンデンサレンズ（例えば、図９のコンデンサレンズ１４９）とを備え、前記視野枠と前記コンデンサレンズが組み込まれた前記ホルダ部材を前記ケース部材の前記空間に組み込まれた状態において、前記結像面、前記視野枠、前記ホルダ部材、前記プリズム、および前記ケース部材により閉空間内が形成されることを特徴とする。
【００１９】
請求項２に記載の撮影装置（例えば、図４のカメラ５１）は、請求項１に記載の実像式ファインダ（例えば、図５の実像式ファインダ９１）を備えることを特徴とする。
【００２０】
以下に、本発明の実施の形態について図面を参照して説明する。
【００２１】
図４は、本発明を適用した撮影装置としてのカメラ５１の外観の構成例を示す斜視図である。
【００２２】
カメラ５１は、正面６１の中央にズーム可能な撮影光学系（図示せず）を内部に備えた撮影レンズ鏡筒７１が設けられている。また、その上部に、被写体を確認するファインダ窓７３が設けられ、上端右部にストロボ窓７４が設けられている。さらに、上面６２には、シャッターボタン７２が設けられている。また、ストロボ窓７４の内部には、ストロボが設けられており、必要に応じて、シャッターボタン７２の押下時に閃光を発し、被写体を照明する。
【００２３】
カメラ５１の後面６３には、中央上部にファインダ接眼部７５、上端右部にズームボタン７７が設けられている。ファインダ接眼部７３には、視度を調節するための視度調節ダイヤル７６が設けられている。
【００２４】
図５乃至図９は、カメラ５１に組み込まれている実像式ファインダ９１の構成を表している。この実像式ファインダ９１は、図４のファインダ窓７３とファインダ接眼部７５の間に配置されている。
【００２５】
以下、基本的に被写体からの光の進行方向に対応させた、レンズの中心線を結んだ線である光軸１００に沿って構成を説明する。
【００２６】
保持ケース１０１は、対物レンズ１０４、接眼レンズ１２５、及びダハプリズム１２２等を保持する。また、保持ケース１０１のうち、後述するダハプリズム１２２や接眼レンズ１２５で構成される接眼光学系の上面は、カバー１０２によって、蓋われる（図５）。
【００２７】
対物レンズ１０４は、ファインダ窓７３に隣接するように、押さえ具１０３によって保持ケース１０１に固定される。
【００２８】
対物レンズ１０４から入射された光は、変倍レンズ１４３、変倍レンズ１４４、及び平面ガラス１４７を通過し、ミラー１４８で反射され、コンデンサレンズ１４９に入射する（図７）。
【００２９】
ファインダ像をズームアップするように、撮影者がズームボタン７７を操作した場合、カメラ５１の内部のモータ（図示せず）が回転し、その回転がギア１４１に伝達される。ギア１４１が軸１０５を中心に時計回りに回転すると、ギア１４１に一体に結合されているカム軸１０６が軸１０５を中心に時計回りに回転する。カム軸１０６には、その円周面に、カム１０６ａが徐々に、幅が広がって行くように、螺旋状に突起するように形成されている。カム軸１０６は、ガタツキ防止のために、バネ１４２により、その軸方向に付勢されている。
【００３０】
変倍レンズ１４３と変倍レンズ１４４は、カム１０６ａに押圧されるようにバネ１４６により付勢されている。カム１０６ａが回転することによって、カム１０６ａの幅が広がり、変倍レンズ１４３と変倍レンズ１４４の間の幅１４５が広がっていく。幅１４５が広がるにつれてファインダ像はズームアップされる。
【００３１】
また、逆にファインダ像をズームダウンする場合、カム軸１０６が反時計回りに回転される。これにより、逆に、カム１０６ａの幅が狭まり、バネ１４６の縮む力により幅１４５が狭まり、ズームダウンされる。
【００３２】
撮影者が、ズームボタン７７を操作した場合、モータの回転に伴って、撮影レンズ鏡筒７１が内部の撮影光学系と共に移動することによって、ファインダ像と、実際にフイルムに写される映像が対応する。
【００３３】
変面ガラス１４７は、ミラー１４８、保持ケース１０１、及びコンデンサレンズ１４９と共に密封された閉空間１５１を形成している。閉空間１５１により、コンデンサレンズ１４９の表面に、埃などのゴミが付着するのが防止される。また、ミラー１４８は、押さえ具１０７によって、保持ケース１０１に固定されている。
【００３４】
コンデンサレンズ１４９に入射された光は、閉空間１５２を通過し、ダハプリズム１２２に入射する。ここで、コンデンサレンズ１４９の組み込み方法について説明する。
【００３５】
コンデンサレンズ１４９は、視野を規制する視野枠１５０と共にホルダ１２１に組み込まれている。図８は、ホルダ１２１を、実像式ファインダ９１から取り外した状態を示す図である。また、図９は、コンデンサレンズ１４９と視野枠１５０を、ホルダ１２１から取り外した状態を示す図である。さらに、図１０、図１１、及び図１２は、光の入射方向を前面とするコンデンサレンズ１４９の前面１４９ａ、横面１４９ｂ、及び後面１４９ｃの外観の構成を示す。コンデンサレンズ１４９は、その前面１４９ａが凸面として形成され、その後面１４９ｃは平面とされ、ＡＦ（Ａｕｔｏ  Ｆｏｃｕｓ）ターゲットマーク１８１が形成されている。また、コンデンサレンズ１４９の後面１４９ｃは、被写体の映像が結像する像面である結像面である。
【００３６】
図８に示されるように、保持ケース１０１には、ダハプリズム１２２とともに空間３０１を形成している。保持ケース１０１には、溝３０２，３０３が光軸１００と垂直に形成されている。ホルダ１２１の左右の柱状部１２１ａ，１２１ｂを溝３０２，３０３に嵌合させて、上から押し込むことで、ホルダ１２１は、光軸１００と垂直な方向から、空間３０１に組み込まれる。
【００３７】
また、図９に示されるように、ホルダ１２１には、組み込まれた状態における光軸１００方向とほぼ平行な方向から、視野枠１５０が組み込まれ、視野枠１５０をホルダ１２１に押圧するように、コンデンサレンズ１４９がさらに同じ方向から組み込まれる。視野枠１５０をホルダ１２１とコンデンサレンズ１４９で挟み込むことによって、コンデンサレンズ１４９の後面１４９ｃである結像面と視野枠１５０を密着させることが出来る。従って、結像面と視野枠１５０、結像面に形成された表示（例えば、ピントを合わせる位置を示すＡＦターゲットマーク１８１）の位置に、ばらつきが無くなる。また、ファインダ像を観察したときのそれぞれの視度差の無い良好な実像式ファインダ９１が得られる。
【００３８】
さらに、視野枠１５０には、突起１５０ａ，が形成されている。この突起１５０ａがホルダ１２１の凹部１２１ｃに嵌合される。従って、視野枠１５０とコンデンサレンズ１４９の相対的位置が、同じホルダ１２１で決まり、組み立て時の視認性が良いので、両者の相対的位置の精度が高くなる。よって、像に対して、視野枠１５０や結像面に形成された表示（例えば、ピントを合わせる位置を示すＡＦターゲットマーク１８１）が曲がったり、ずれたりすることを防ぐことが出来る。さらに、ホルダ１２１が簡単に取り外せることによって、組み立て時や取り外しの際の作業性を向上させている。
【００３９】
図１３は、ホルダ１２１を光軸１００方向から見た外観図である。ホルダ１２１の内側の上面左右２ヶ所、下面の左右２ヶ所、並びに左右の各面の１ヶ所の、合計６ヶ所に、突起１９１が形成されている。コンデンサレンズ１４９は、この６箇所の突起１９１によって、ホルダ１２１に、ガタツクことなく取り付けられ、この構成からも、位置精度が確保される。
【００４０】
図１４は、ホルダ１２１が実像式ファインダ９１内に格納されている状態の構成を示す縦断面図である。図示されているように、ホルダ１２１格納時には、コンデンサレンズ１４９、視野枠１５０、ホルダ１２１、及びダハプリズム１２２により、閉空間１５２が形成される。これにより、結像面に埃などのゴミが付着するのが防止される。また、保持ケース１０１、カバー１０２、及び閉空間１５１によって、２重に密封され、これによっても、結像面に埃などのゴミが付着するのを防いでいる。なお、図１４は、相互の位置関係が明確になるように閉空間１５２とダハプリズム１２２の間に空間が空いているように示されているが、閉空間１５２とダハプリズム１２２は密接している。
【００４１】
閉空間１５１は、２重に密封されてはいないが、例え、ゴミがコンデンサレンズ１４９の表面（コンデンサレンズ１４９の前面１４９ａ）に付着しても、結像面よりコンデンサレンズ１４９の横面１４９ｂの厚みだけ離れているため、視度がずれる。従って、ファインダ像が見苦しいものになるということは抑制される。
【００４２】
コンデンサレンズ１４９の結像面に結像された像の光は、図１５に示されるように、光軸１００に沿ってダハプリズム１２２に入射し、プリズム１２３と接している面１２２ｃで反射される。面１２２ｃで反射された光は、ダハプリズム１２２の稜線４０２を形成する面１２２ａと面１２２ｂで反射され、正立像とされる。
【００４３】
面１２２ａと面１２２ｂで反射された光は、プリズム１２３および接眼レンズ１２５を通過し、ファインダ像として撮影者の目に入射される。
【００４４】
図７に戻り、視度調節ダイヤル７６は、接眼レンズ１２５と連動して形成されている。さらに、接眼レンズ１２５は、軸１５４に沿って移動自在とされ、バネ１５３により、図中右方向に付勢されている。撮影者は視度調節ダイヤル７６を所定の方向に回転させると、その回転が伝達され、接眼レンズ１２５は軸１５４によりガイドされ、光軸１００と平行な方向に、プリズム１２３に接近する方向に移動する。また、視度調節ダイヤル７６を逆回転させると、接眼レンズ１２５は、プリズム１２３から離れる方向に移動する。バネ１５３は、接眼レンズ１２５の移動時のガタツキを防止する。
【００４５】
従って、撮影者は、その視力に合わせて、視度を合わせることが可能となり、ファインダ像が鮮明に観察出来る。
【００４６】
上記の実施の形態においては、実像式ファインダをカメラ５１に適用した場合について述べたが、実像式ファインダをデジタルカメラ、その他の種々の撮影装置に適用するようにしても良い。
【００４７】
【発明の効果】
以上のように、本発明によれば、被写体を撮影することができる。特に、全体の形状を大型化することなく、簡単な構造で実像式ファインダの結像面へのゴミの侵入、視野枠による擦り傷の抑制、及び組み立て時、取り外し時の作業性の向上、並びに視度差のない良好な実像式ファインダを提供することが出来る。
【図面の簡単な説明】
【図１】従来の実像式ファインダの構造例を示す斜視図である。
【図２】図１の上面の構成を示す上面図である。
【図３】図１の縦断面の構成を示す縦断面図である。
【図４】本発明を適用した撮影装置としてのカメラの外観の構成例を示す斜視図である。
【図５】本発明の実施例である実像式ファインダの斜視図である。
【図６】図５の実像式ファインダからカバーを取り外した時の斜視図である。
【図７】図５の実像式ファインダの横断面図である。
【図８】図６の実像式ファインダからホルダを取り外した時の斜視図である。
【図９】図８のホルダからコンデンサレンズと視野枠を取り外した時の斜視図である。
【図１０】コンデンサレンズの前面を示す前面図である。
【図１１】コンデンサレンズの横面を示す側面図である。
【図１２】コンデンサレンズの後面を示す背面図である。
【図１３】コンデンサレンズが組み込まれたホルダの前面を示す前面図である。
【図１４】ホルダが実像式ファインダ内に組み込まれている状態を示すの縦断面図である。
【図１５】コンデンサレンズから接眼レンズに入射するまでの光軸を示すための斜視図である。
【符号の説明】
９１  実像式ファインダ
１０１  ケース
１２１  ホルダ
１２２  ダハプリズム
１４９  コンデンサレンズ
１５０  視野枠
１５１  閉空間
１５２  閉空間
【図１】
2005017611.tif 000003
【図２】
2005017611.tif 000004
【図３】
2005017611.tif 000005
【図４】
2005017611.tif 000006
【図５】
2005017611.tif 000007
【図６】
2005017611.tif 000008
【図７】
2005017611.tif 000009
【図８】
2005017611.tif 000010
【図９】
2005017611.tif 000011
【図１０】
2005017611.tif 000012
【図１１】
2005017611.tif 000013
【図１２】
2005017611.tif 000014
【図１３】
2005017611.tif 000015
【図１４】
2005017611.tif 000016
【図１５】
2005017611.tif 000017